(57)【特許請求の範囲】
【請求項１】
患者処置装置に取り付けられた少なくとも１つのセンサを具備し、前記センサは、前記装置の使用に関するデータを提供するように構成された、患者処置装置のための動作記録システムにおいて、
前記動作記録システムは、前記装置を使用して実行される特定動作を識別するために、前記装置についての実験的に引き出されたデータと前記装置についての使用データとを比較するセンサ・システムを具備し、
前記センサ・システムは、患者処置装置に取り付けられた１または複数のセンサから測定されたデータを収集する制御ユニットを具備し、
前記センサ・システムは、前記制御ユニットによって処理され、かつ前記装置を使用して実行される特定動作を識別するために実験データに対して合致させる使用パターンを提供し、
前記特定動作は、全面的な患者の搬送、患者の体位変更、患者の脚固定処置、または前記装置の収納のうちの１または複数である
ことを特徴とする動作記録システム。
【請求項２】
前記センサ・システムは、前記装置上に設置された電源から電気が供給される、加速度計、マイクロプロセッサ、及びトランシーバを具備し、
前記装置の動作に関する前記加速度計のデータは、前記装置を使用して実行される特定動作を識別するために実験的に引き出されたデータとの比較によって、前記マイクロプロセッサにより収集されるとともに処理される
ことを特徴とする請求項１に記載の動作記録システム。
【請求項３】
中央システムは、装置の使用情報を提供するために、実験的データ及び職員データと、各前記動作記録システムからの使用データとを合致させることを特徴とする、請求項１又は２に記載の複数の動作記録システムを有する動作記録中央システム。
【発明の詳細な説明】
【技術分野】
【０００１】
本発明は、患者処置装置の記録システムに関し、特に、患者持上げ及び処置の装置を使用して実行される特定行動を記録するための記録システムに関する。
【背景技術】
【０００２】
今日介護施設内で働く介護者の多くは、患者を持上げる、及び処置する際に、機械的補助器具の必要性に気付いている。このことに自覚しながらも、介護者は腰痛の問題を抱えている。
【０００３】
病院が正しい機械的補助器具を有するかどうか、病院が十分に装置を有し、かつその装置が前記介護者に対する教育及び訓練の適切な水準で使用し易いかどうか、及びこれらの処理が施設で行われているかどうかを調査することによって、これらの問題を最小限にすることが病院にとって必要である。
【０００４】
多数の介護施設が、被雇用者の腰痛を減らすために、プログラム及び装置に更に投資することを計画している。病院が正しい処理、装置、及び訓練に資金を投資することを保証する１つの方法は、常時にわたり介護施設の至る所で、患者処置装置の使用を監視するとともに、そのガイドに基づいて、前記処理、装置、及び訓練を改善する最適な方法を決定することである。
【０００５】
患者処置装置はこの装置を保守点検する目的でデータ記録を搭載していることが知られている。しかしこの情報は、前記保守点検職員は別として、任意の他の人にとって収集困難である。センサは、前記装置を使用する使用者によって行われる訓練の程度が記録される訓練装置に関連付けられていることが知られている。
【発明の概要】
【発明が解決しようとする課題】
【０００６】
本発明は、改善を目的とする。
【課題を解決するための手段】
【０００７】
従って、本発明は、患者処置装置に取り付けられた少なくとも１つのセンサを具備し、前記センサは、前記装置の使用に関するデータを提供するように構成された、患者処置装置のための動作記録システムにおいて、前記動作記録システムは、前記装置を使用して実行される特定動作を識別するために、実験的に引き出されたデータと使用データとを比較する制御ユニットを具備することを特徴とする動作記録システムを提供することである。
【０００８】
前記センサ・システムは、前記患者処置装置と独立であるため、前記患者処置装置のもとの状態を損ねることなく、前記患者処置装置のブランド又はモデルと独立した介護施設内の機械的補助器具（例えば、床リフタ、天井リフタ、横移動装置、スライド・シート、立ち上がり及び起き上がり補助器具、シャワー椅子、バスシステム、及び手押し車のような）のタイプでの使用に関して、首尾一貫したデータ・セットを収集可能である。
【０００９】
好ましくは、前記センサ・システムは、患者処置装置に取り付けられた複数のセンサ（例えば、加速度計デバイス、ジャイロスコープ・デバイス、マイク・デバイス、ホール効果デバイス、歪みゲージ・デバイス、光感知デバイス、又はカメラ・デバイス）からの測定データを収集する制御ユニットを具備する。
【００１０】
前記制御ユニットによって処理され、かつ一定の動作が起きたかどうかを決定するために、経験値及び経験則を合致させるパターンを形成するのに、１又は複数の副次的な指標が使用される。測定対象の特定動作は、例えば、ある面から別の面への患者の処置、患者の体位変更、患者の包帯付け処置（event）、収納スペースへの前記装置の移動、機械的補助の特徴的な使用である。
【００１１】
本発明の好ましい具体例では、前記センサ・システムは、前記装置上に設置された電源から電気が供給されるマイクロプロセッサ及びトランシーバと一緒に、加速度計を具備しており、前記装置の動作に関する前記加速度計のデータは、前記装置を使用して実行される特定動作を識別するために実験的に引き出されたデータとの比較によって、前記マイクロプロセッサにより収集されるとともに処理される。
【００１２】
本発明は、一つの装置を用いてなされる動作の種類を識別するための必要性に応える。
前記システムは、自動デバイスであるため、特別な製品に限定されない。前記センサ・システムは、前記医療デバイスの操作に全く影響を与えずに、任意のリフト装置に付加することができる。前記データは、メイン制御ユニットで直ちに利用可能になる。
【００１３】
好ましくは、メイン制御ユニット（自動動作記録ユニットに接続されている）は、装置の使用情報を提供するために、記録されたデータを拡張データ（例えば、所定の時間における職員と患者の人数）に合致させる。
【００１４】
前記システムは、測定対象の前記動作に合致する特異なパターンを分類する。このパターンは、試行からの経験値に基づいており、試行数は、前記システムの精度を決定する。
特定動作：
−全面的患者処置
−患者の体位変更
−患者の脚固定作業
−患者に迷惑をかけない手短な動き
−収納スペースへの装置の移動
測定データ：
−加速度計データ
−ジャイロスコープ・データ
−アクチュエータ・モータからの音を拾うマイク
−前記アクチュエータ・モータによって生成された磁場を感知するホール効果デバイス
記録に書き込まれる収集データ（限定されない）：
−識別された作業の分類
−時刻及び日付
−装置のＩＤ番号
−処置期間
【００１５】
一般的に、前記システムは、職員の教育計画、安全な患者の処置規則の制定（Safe Patient Handling Act legislation）、メンテナンス計画、装置購入計画、又は調査のための改善及びフィードバックの発展のために、常時にわたり病棟内での装置使用をマッピングするのに使用可能である。
【００１６】
本発明の実施形態は、以下の図面を参照しつつ、次に記載される。
【図面の簡単な説明】
【００１７】
【図１】図１は、ホイスト（hoist）の支柱に取り付けられたセンサとして使用される際の加速度計の概要を示す図である。
【図２】図２は、動作中及び非動作中の加速度計表示の相互比較の出力波形を示す図である。
【図３】図３は、病棟で使用されるような動作記録センサ・システムの概要を示す図である。
【発明を実施するための形態】
【００１８】
図面を参照すると、３軸加速度計を有する動作記録ユニット１は、図１に図示されるように、ホイストの支柱上に設置されている。前記ユニットは、管理装置の機能又はもとの状態（integrity）を損ねることなく、常時にわたり測定データ２を収集する。収集された前記データは、監視対象装置の監視方向及び監視位置と独立しており、かつ任意のモータ、手動制御、又は装置上の吊り帯を有するどのようなインタフェースによっても拘束されない。前記動作記録ユニット１は、前記装置を有する病棟間を移送してもよい。前記動作記録ユニット１は、電源から電気が供給されるマイクロプロセッサ及びトランシーバと一緒に、加速度計を具備しており、このユニットは、ボタン、及び／又はディスプレイのような更なる機能を有することができる。
【００１９】
図２に図示されているように、前記動作記録ユニット１内の加速度計は、周期的にポーリングされ、前記取得された加速度計データ（重力加速度（ｇ）で表示される加速度）は、同一加速度計からの時間遅延データと比較され、動きが導入されるとき、これらの２つの値Ａ及びＢは、動いていない加速度計の値Ｃよりも多くの差異がでる。前記２つを比較するとともに、フィルタを導入することによって、前記加速度計の常時にわたる動きを表示するデータ・ベクトルが形成される。患者処置装置全体を実行するためのルールは、前記プロセッサ・ユニット内に保存されている。このデータ・ベクトルは、前記メイン制御ユニットに届けて更に処理するために、圧縮可能であり、かつ数ステップで無線を介してメイン制御ユニットへ送信される。
【００２０】
また、前記動作記録ユニット１内のマイクロプロセッサは、エネルギ節約のために加速度計データに基づいて、前記ユニットの異なる出力モードを決定するプログラムを実行する。
【００２１】
前記メイン制御ユニット１５は、全ての入力データの時間を打刻しているため、各ユニットにおける実時間クロック、及びカレンダの必要性を不要とする。図３に図示されている実施形態では、前記メイン制御ユニット１５は、無線通信１４又は他の適切な技術によって、天井及び床のホイスト１０・１１・１２・１３上の自動動作記録ユニットと交信している。
【００２２】
前記メイン制御ユニット１５は、前記データ収集ユニット１０・１１・１２・１３からの適切なデータ全てを保存する。前記制御ユニット１５は、どこに特定動作の記録ユニット１が設置されているか、どの位置にあるか、及び患者処置装置はどのようなタイプかという情報を保持できる。前記動作記録ユニットからのデータは、前記動作の時間及び日付と一緒に保存される。前記メイン制御ユニット１５は、特定動作を分類するために経験データに対して前記動作記録ユニット１から引き出されたセンサ・データ１１・１２・１３・１４を合致させる。結果ファイルは、その後どのように患者処置装置が施設の至る所で利用されているかという知識の獲得のために、独自に分析可能な、又は他のソースからのデータと組み合わせ可能なデータを含んでいる。
【符号の説明】
【００２３】
１  動作記録ユニット
１５  メイン制御ユニット
【図１】
0005346087.tif 000002
【図２】
0005346087.tif 000003
【図３】
0005346087.tif 000004